(57)【要約】      （修正有）【課題】本の汚染や破損を防止するための、安価で、生産性の高い本のカバー掛け方法及び透明粘着フィルムを貼り合わせる装置を提供する。【解決手段】枠２に設置した透明或いは半透明粘着フィルム８の供給部、単数或いは複数からなる透明粘着フィルムの方向変換バー６、方向変換バー近傍に設けた透明粘着フィルムの裁断手段７及び作業台１とから貼り合わせ装置を構成し、透明粘着フィルムの端を本の一方の裏表紙から、本９の表紙全体を経て、他方の裏表紙まで貼り合わせる間、透明粘着フィルム供給部に設けた制動手段及び透明粘着フィルムの方向変換バーの利用により、フィルムロール３と本に貼り付けたフィルム端間において、透明粘着フィルム上に張力を加えつつ貼り合わせると共に、張力を加えた状態で他端を裁断する。【選択図】図１
0003151799.tif 000002
【実用新案登録請求の範囲】
【請求項１】
作業台、作業台の上に垂直方向に伸びた枠、枠の上方に設けた透明粘着フィルムの供給部及び枠の下方に設けた単数或いは複数の透明粘着フィルムの方向変換バーを有する、ブックカバーの有無に関らず、本の表紙に直接透明粘着フィルムを貼り合わせる装置であって、透明粘着フィルムの供給部がバネの押圧により粘着フィルムロールの回転を制動していると共に、フィルムの方向変換バーがそれを補っていることを特徴とする透明粘着フィルムを本の表紙へ貼り合わせる装置。
【請求項２】
透明粘着フィルムの粘着剤面が離型紙で裏打ちされていないことを特徴とする請求項１記載の透明粘着フィルムを本の表紙へ貼り合わせる装置。
【請求項３】
透明粘着フィルムの供給部が、フィルムロール、該ロールの中を貫通する軸、軸を支持する枠に固定された支持手段、ロールを軸に固定する固定具及び軸に固定でき、一方の支持手段を押圧し、軸の反対側の留め手段と共にフィルムロールの回転を制動するバネとからなることを特徴とする請求項１、２記載の透明粘着フィルムを本の表紙へ貼り合わせる装置。
【請求項４】
透明粘着フィルムの方向変換バーが、上下に移動可能な位置調整機能及び中央部で折り畳める折り畳み機能を有し、折り畳んだとき透明粘着フィルムの粘着剤塗布面上の所定の位置に目視可能な線を形成するような形態で透明粘着フィルムを固定でき、カッターによる裁断を容易にしたプレート形状の方向変換バーであることを特徴とする請求項１〜３の透明粘着フィルムを本の表紙へ貼り合わせる装置。
【請求項５】
請求項１〜４記載の貼り合わせ装置を用いて、透明粘着フィルムの供給部から供給された透明粘着フィルムの端部を本の一方の裏表紙の所定の位置に貼り付け、その後粘着フィルムに張力を加えながら本の表紙全体に貼り合わせ、次いで、張力を加えた状態で透明粘着フィルムを裁断した後、その端部を他方の裏表紙に貼り付け、更に本の上下に伸びた粘着フィルムを裁断後、内側に折り返し、貼り付けることを特徴とするカバー掛け方法。
【考案の詳細な説明】
【技術分野】
【０００１】
本発明は、本の破損や汚染を防止するためにブックカバーが存在する、或いは存在しない状態で透明或いは半透明フィルムで本の表紙を覆い、固着する本のカバー掛け方法及びその貼り合わせ装置であって、より好ましくは粘着面が離型紙で裏打ちされていない粘着フィルムを用いる本のカバー掛け方法及びその貼り合わせ装置に関する。
【背景技術】
【０００２】
従来、本の表紙全面に透明なフィルムを貼着する場合、本の表紙にブックカバーが存在する、あるいは存在しない状態でその上を予め裁断した粘着フィルムで覆い、貼り付けていた。
しかし、裁断したフィルムは取り扱いが難しいため、粘着剤塗布面を離型紙で裏打ちする必要があった。またフィルムと本の表紙或いはブックカバーとの間に空気を巻き込むと外観を損じるためフィルムの上からスポンジや布で擦って空気を抜く作業が不可欠であった。この作業には根気と熟練が要求され、時間もかかるためコストアップの要因となっていた。
【０００３】
前記問題点を解消するために、下記のような発明が開示されている。特許文献１記載のブックカバー貼り付け機は、二連コンベヤベルトに対して直角方向から本を閉じた状態で挿入し、本に透明粘着フィルムを貼り付けるものであり、特許文献２記載のブックカバー掛け器は、透明粘着フィルムの粘着面上に本の双方の表紙を展開して置き、表紙にフィルムを貼り付けていた。何れも透明粘着フィルムと本の間の空気抜き作業は改良されてはいるが、まだ十分ではなく、本を装置にセットするための時間が掛かり、作業は煩雑で、装置コストも無視できないという問題があった。
【先行技術文献】
【特許文献】
【０００４】
【特許文献１】特開平１-２１４４８３号公報
【特許文献２】実開昭５４−６８９２５号公報
【考案の概要】
【考案が解決しようとする課題】
【０００５】
本発明では前記の問題点を考慮し、本のカバー掛けを効率良く行うための方法を提供し、本のカバー掛けの生産性を向上すると共に、コスト低減を図ることを目的とした。
【課題を解決するための手段】
【０００６】
本発明では上記課題を解決するために、枠に設置した透明或いは半透明粘着フィルムの
供給部、単数或いは複数からなる透明粘着フィルムの方向変換バー、方向変換バー近傍に設けた透明粘着フィルムの裁断手段及び作業台とから貼り合わせ装置を構成し、透明粘着フィルムの端を本の一方の裏表紙から、本の表紙全体を経て、他方の裏表紙まで貼り合わ
せる間、透明粘着フィルム供給部に設けた制動手段及び透明粘着フィルムの方向変換バーの利用により、フィルムロールと本に貼り付けたフィルム端間において、透明粘着フィルム上に張力を加えつつ貼り合わせると共に、張力を加えた状態で他端を裁断する。
【考案の効果】
【０００７】
本発明の装置は構成が単純であるため装置価格を安価にできる。また透明粘着フィルムの供給部の制動手段及び透明粘着フィルムの方向変換バーを利用し、透明粘着フィルム上に張力を加えながら作業が可能となったため、透明粘着フィルムの取り扱いが著しく改善され、空気の巻き込みのない、生産性の高いカバー掛けが可能となった。
【図面の簡単な説明】
【０００８】
【図１】本発明で使用した、貼り合わせ装置の側面の概略説明図である。
【図２】本発明で使用した、貼り合わせ装置の正面の概略説明図である。
【考案を実施するための形態】
【０００９】
図１、図２に本発明の一実施例を示す。作業台は幅５００×奥行き６００で、作業する上面にはフィルムの粘着剤面が固着しない材料或いは離型剤処理したフィルム又はシートが、また底面にはゴム等からなる滑り止め材料が配置されている。
枠は幅５００×高さ４００であり、中央部より情報に透明粘着フィルム供給部を、中央部より下方に透明粘着フィルム方向変換バーを備えている。
透明粘着フィルム供給部はフィルムロール、ロールの中を貫通する軸、軸が嵌め込まれる枠に固定した支持台、軸にロールを固定する固定具、少なくともその一方に配置されたバネからなり、このバネの押圧により軸及び固定具が支持台に押し付けられ、フィルムロールの回転を制動するように作用している。フィルムロールは必要に応じ取り外し、交換できる。
透明粘着フィルム方向変換バーは単数或いは複数からなり、枠とほぼ同じか或いは作業台後方に、位置を移動可能なように枠に設置されている。このフィルム方向変換バーの形状は、例えば角柱状、板状、円柱状と任意に選択可能である。作業上透明粘着フィルム上に目印を付ける場合は角柱或いは板状バーが有利である。
作業台前方のフィルム供給部から作業台後方のフィルム方向変換バーを経由して、透明粘着フィルムを作業台に置いた本の表紙まで導くことで、フィルム供給部の制動手段と共に透明粘着フィルムに張力を加えることが可能となる。この張力を加えることにより得られる効果は大きく分けて２つある。１つは粘着剤を塗布されたフィルムの取り扱いが著しく容易になる点である。特に、離型紙で裏打ちされていないフィルムにおいては、粘着面間の付着が回避されるだけでなく、離型紙の剥離工程の省略、離型紙の廃棄処分の省略、材料費の低減といった点で有利である。張力を加えることの効果の２つ目は、フィルム方
向変換バー近傍に設けた裁断手段による裁断が容易になることである。例えば、ガイドに沿ってカミソリ刃を滑らせるだけでフィルムを簡単に裁断できる。
この透明粘着フィルムの本の表紙への貼り合わせは、先ず透明粘着フィルムの一端を本の一方の裏表紙の外側の縁から所定の位置に貼り付け、次いで表紙全体覆うように貼り付
け、張力を加えたまま所定の位置でフィルムを裁断する。その後粘着フィルムの残部を他方の裏表紙に貼り付ける。この間、透明粘着フィルムへ加えた張力を利用しながらフィルム表面から擦り付けることにより、空気の巻き込みは容易に回避できる。
その後、本の上下に伸びた透明粘着フィルムを裁断し、内側に折り返し、貼り合わせることにより粘着フィルムの貼り合わせは完了する。
作業中粘着フィルムが作業台に付着することを避けるため、作業台上面は粘着剤が固着しない材料或いは離型処理した材料で、且つ１０ｍｍ間隔の方眼目盛を有する材料で覆い、作業をし易くしてある。作業台の底面には滑り止め処理が施されている。
【実施例１】
【００１０】
図１、図２に示す装置を用い、離型紙で裏打ちされていない透明粘着フィルムを本の表紙面に貼り合わせた。粘着フィルムの装着数は１時間当たり５２冊であった。結果を表１に示す。
【実施例２】
【００１１】
粘着フィルムが離型紙で裏打ちされていること以外は実施例１と同様にして粘着フィルムを本の表紙に貼り付けた。離型紙はフィルム方向変換バーの手前で剥離除去した。粘着フィルムの装着数は１時間当たり５１冊であった。結果を表１に示す。
【実施例３】
【００１２】
予め所定の長さに裁断した離型紙で裏打ちされていない粘着フィルムを本の表紙に貼り付けた。フィルムに皺がよるため取り扱い難く、空気の巻き込みもあり、外観は劣る。粘着フィルムの装着数は１時間当たり１０冊であった。結果を表１に示す。
【実施例４】
【００１３】
粘着フィルムが離型紙で裏打ちされている以外は比較例１と同様にして粘着フィルムを本の表紙に貼り付けた。粘着フィルムの装着数は１時間当たり４０冊であった。結果を表１に示す。
【００１４】
【表１】
0003151799.tif 000003
【産業上の利用可能性】
【００１５】
本発明のカバー掛け方法及びその貼り合わせ装置は、図書館や学校等本の汚染或いは破
損防止が求められている分野で、安価な装置で、生産性を向上できるので有用である。
【符号の説明】
【００１６】
１ : 作業台、２ : 枠、３ : 透明粘着フィルムロール、４ : フィルムロール固定具、４' : 軸、４" : バネ、５ : 軸の支持手段、６ : 透明粘着フィルム方向変換バー、７ : フィルム裁断手段、８ : 透明粘着フィルム、９ : 本
【図１】
0003151799.tif 000004
【図２】
0003151799.tif 000005
【手続補正書】
【提出日】平成21年5月1日(2009.5.1)
【手続補正１】
【補正対象書類名】実用新案登録請求の範囲
【補正対象項目名】全文
【補正方法】変更
【補正の内容】
【実用新案登録請求の範囲】
【請求項１】
作業台、作業台の上に垂直方向に伸びた枠、枠の上方に設けた透明粘着フィルムの供給部及び枠の下方に設けた単数或いは複数の透明粘着フィルムの方向変換バーを有する、ブックカバーの有無に関らず、本の表紙に直接透明粘着フィルムを貼り合わせる装置であって、透明粘着フィルムの供給部がバネの押圧により粘着フィルムロールの回転を制動していると共に、フィルムの方向変換バーがそれを補っていることを特徴とする透明粘着フィルムを本の表紙へ貼り合わせる装置。
【請求項２】
透明粘着フィルムの粘着剤面が離型紙で裏打ちされていないことを特徴とする請求項１記載の透明粘着フィルムを本の表紙へ貼り合わせる装置。
【請求項３】
透明粘着フィルムの供給部が、フィルムロール、該ロールの中を貫通する軸、軸を支持する枠に固定された支持手段、ロールを軸に固定する固定具及び軸に固定でき、一方の支持手段を押圧し、軸の反対側の留め手段と共にフィルムロールの回転を制動するバネとからなることを特徴とする請求項１または２記載の透明粘着フィルムを本の表紙へ貼り合わせる装置。
【請求項４】
透明粘着フィルムの方向変換バーが、上下に移動可能な位置調整機能及び中央部で折り畳める折り畳み機能を有し、折り畳んだときと埋めて粘着フィルムの粘着剤塗布面上の所定の位置に目視可能な線を形成するような形態で透明粘着フィルムを固定でき、カッによる裁断を容易にしたプレート形状の方向変換バーであることを特徴とする請求項１〜3のいずれか一項に記載の透明粘着フィルムを本の表紙へ貼り合わせる装置。